(57)【要約】      （修正有）【課題】卓面形態に応じて自在に組立てて様々な環形寸法を得る無限に延ばすことが可能な組立て式回転ダイニング盤を提供する。【解決手段】無限に延ばすことが可能な組立て式回転ダイニング盤は、ベース１０及び連動回転盤２０を備える。ベース１０は、複数の矩形状盤面及び扇形状盤面が一体成形された接続盤１１から構成される。各接続盤１１の左右側部には、互いに対応した複数の掛止部１３と複数の被掛止部１４とが形成される。盤面の適宜な箇所には軌道１２が設けられる。連動回転盤２０は、複数の曲形連結片２１により構成される。各連結片２１の左右側部には、互いに対応した複数の接耳状の連結部２２及び複数の掛耳状の被連結部２３が形成され、底面には車輪２４が取り付けられている。【選択図】図３
0003193051.tif 000002
【実用新案登録請求の範囲】
【請求項１】
ベース及び連動回転盤を備える無限に延ばすことが可能な組立て式回転ダイニング盤であって、
ベースは、複数の矩形状盤面及び扇形状盤面が一体成形された接続盤から構成され、各接続盤の左右側部には、互いに対応した複数の掛止部と複数の被掛止部とが形成され、盤面の適宜な箇所には軌道が設けられ、連動回転盤は、複数の曲形連結片により構成され、各連結片の左右側部には、互いに対応した複数の掛止部及び複数の被掛止部が形成され、底面には車輪が取り付けられ、ベースが組立てられる際、ダイニングテーブルの寸法に応じ、複数の矩形状盤面及び複数の扇形状盤面の接続盤が、連結部及び被連結部を介し、左右両方向で交互に組み合わされて環円状ベースが組立てられ、複数の連結片が左右側部の掛止部と被掛止部とが係合されて環円状の連動回転盤を形成し、連動回転盤の各連結片の底面に取り付けられた車輪が、ベースの接続盤に取り付けられた軌道上に位置させてベース上を摺動させ、各接続盤と各連結片とを組み合わせて様々な環形寸法を有する回転ダイニング盤が得られることを特徴とする無限に延ばすことが可能な組立て式回転ダイニング盤。
【請求項２】
接続盤の内・外側部には、スライドガイド縁部が延設され、
連結片は、一体成形された上曲面及び下曲面を有し、
上曲面及び下曲面の外端面の両側部には、併合部がそれぞれ設けられ、上曲面及び下曲面の内・外側部には、接続盤のスライドガイド縁部に対応したスライドガイドブロックがそれぞれ延設されていることを特徴とする請求項１に記載の無限に延ばすことが可能な組立て式回転ダイニング盤。
【請求項３】
上曲面及び下曲面の併合部は、歯列状に形成され、
上・下曲面の歯列状併合部は、上・下曲面の２つの外端部に設けられるか、上曲面及び下曲面の２つの内・外端部に設けられることを特徴とする請求項２に記載の無限に延ばすことが可能な組立て式回転ダイニング盤。
【請求項４】
上・下曲面の併合部は平坦面に形成されることを特徴とする請求項３に記載の無限に延ばすことが可能な組立て式回転ダイニング盤。
【請求項５】
ベースの環状中央部には、伝動セットが接続され、
伝動セットは、接続板及び２つの両歯車杆により構成され、
接続板の板面には、収容孔が形成され、
２つの長側部には、互いに対をなす側板が延設され、接続板の４つの側角には弾性脚板が延設され、弾性脚板の末端には、位置決め引っ掛け部が突設され、その側部には弧形状押圧ブロックが設けられ、２つの両歯車杆には、内杆体及び外杆体が設けられ、内・外杆体の互いに対をなす一端には、大きめの径を有する歯車がそれぞれ設けられ、他端には、組立部及び組立孔がそれぞれ形成され、接続板及びベースの底面には、両歯車杆を係合させる係合溝が複数形成され、ベースの環状中央部両側と、接続板の弾性脚板との対応した箇所には、弾性脚板の位置決め引っ掛け部を係合させる接続溝が形成され、接続板の両短側部には、ベースの環状中央部の両内側に形成された位置決め孔に対応した位置決めブロックが突設され、連動回転盤の各連結片の底面には、両歯車杆の外杆歯車に対応した連動歯軌道が設けられていることを特徴とする請求項１に記載の無限に延ばすことが可能な組立て式回転ダイニング盤。
【考案の詳細な説明】
【技術分野】
【０００１】
本考案は、無限に延ばすことが可能な組立て式回転ダイニング盤に関し、特に、卓面形態に応じて自在に組立てて様々な環形寸法を得る、無限に延ばすことが可能な組立て式回転ダイニング盤に関する。
【背景技術】
【０００２】
一般のダイニングテーブル上に設けられ、様々な料理を取るのに便利な回転ダイニング盤は、円形ダイニングテーブルに固設され、回転ダイニング盤を円形ダイニングテーブルの形状に合わせて円盤状に形成して取り付けなければならないため、実用的とは言い難かった。
【考案の概要】
【考案が解決しようとする課題】
【０００３】
本考案の第１の目的は、ベースが複数の矩形盤面及び扇形盤面を形成し、左右側部に連結部及び被連結部を有する連結盤を含み、連動回転盤は、左・右側に係止部及び被係止部が設けられ、連動回転盤及びベースは、各種卓面形態に応じて連結盤及び連結片の数を自在に変えて組み合わせ、様々な環形寸法を有する回転ダイニング盤（例えば、楕円形、円形又は方形）を製作することにより、従来技術では、回転ダイニング盤が特定の卓面にしか使用できなかった欠点を改善する、無限に延ばすことが可能な組立て式回転ダイニング盤を提供することにある。
本考案の第２の目的は、連動回転盤の各連結片に隣接した上下曲面の対応した側部の併合部が連動回転盤の円形回転により互いに接触され、各連結片が互いに隣接されるため安定し、回転する際に揺れることがなく、連結片が変形してずれて凹凸が生じることを防ぐ、無限に延ばすことが可能な組立て式回転ダイニング盤を提供することにある。
本考案の第３の目的は、ベースの各連結盤の盤面の適宜な箇所に、連動回転盤の各連結片の底面に取り付けられた車輪に対応した軌道が設けられ、複数の連結盤に隣接した側部を密着させて平坦な水平状を形成し、連動回転盤に複数の連結片を配列し、各連結片の底面に形成された車輪をベースの連結盤に対応させて軌道上に形成したスライドガイドに設置し、連動回転盤の何れか１つの連結片を自在に押し動かして回転させることができる、無限に延ばすことが可能な組立て式回転ダイニング盤を提供することにある。
【図面の簡単な説明】
【０００４】
【図１】本考案の一実施形態に係る無限に延ばすことが可能な組立て式回転ダイニング盤の連動回転盤の連結片を示す正面斜視図である。
【図２】本考案の一実施形態に係る無限に延ばすことが可能な組立て式回転ダイニング盤の連動回転盤の連結片を示す背面斜視図である。
【図３】本考案の一実施形態に係る無限に延ばすことが可能な組立て式回転ダイニング盤のベース及び連動回転盤を示す分解斜視図である。
【図４】本考案の一実施形態に係る無限に延ばすことが可能な組立て式回転ダイニング盤のベース及び連動回転盤を示す斜視図である。
【図５】本考案の一実施形態に係る無限に延ばすことが可能な組立て式回転ダイニング盤のベース及び連動回転盤を示す平面図である。
【図６】本考案の他の実施形態に係る無限に延ばすことが可能な組立て式回転ダイニング盤のベース及び連動回転盤を示す平面図である。
【図７】本考案の一実施形態に係る無限に延ばすことが可能な組立て式回転ダイニング盤の連動回転盤の連結片を示す正面斜視図である。
【図８】本考案の一実施形態に係る無限に延ばすことが可能な組立て式回転ダイニング盤の連動回転盤の連結片を示す背面斜視図である。
【図９】本考案の一実施形態に係る無限に延ばすことが可能な組立て式回転ダイニング盤のベース及び連動回転盤を示す分解斜視図である。
【図１０】本考案の他の実施形態に係る無限に延ばすことが可能な組立て式回転ダイニング盤の連動回転盤の連結片を示す正面斜視図である。
【図１１】本考案の他の実施形態に係る無限に延ばすことが可能な組立て式回転ダイニング盤の連動回転盤の連結片を示す背面斜視図である。
【図１２】本考案の他の実施形態に係る無限に延ばすことが可能な組立て式回転ダイニング盤のベース及び連動回転盤を伝動セットに加えた状態を示す正面分解斜視図である。
【図１３】本考案の他の実施形態に係る無限に延ばすことが可能な組立て式回転ダイニング盤のベース及び連動回転盤を伝動セットに加えた状態を示す背面分解斜視図である。
【図１４】本考案の一実施形態に係る無限に延ばすことが可能な組立て式回転ダイニング盤の伝動セットを示す斜視図である。
【図１５】本考案の他の実施形態に係る無限に延ばすことが可能な組立て式回転ダイニング盤のベース及び連動回転盤を伝動セットに加えた状態を示す底面図である。
【図１６】本考案の他の実施形態に係る無限に延ばすことが可能な組立て式回転ダイニング盤のベース及び連動回転盤を伝動セットに加えた状態を示す説明図である。
【考案を実施するための形態】
【０００５】
図１〜図３を参照する。図１及び図３に示すように、本考案の一実施形態に係る無限に延ばすことが可能な組立て式回転ダイニング盤は、複数の接続盤１１を有するベース１０と、複数の連結片２１を有する連動回転盤２０と、を含む。ベース１０の接続盤１１は、一体成形された複数の矩形状盤面及び扇形状盤面を有する盤体を含む。盤体は、等しい幅を有する。各接続盤１１の盤面には、複数の形孔１１１が形成されている。盤面の適切な箇所には、少なくとも１つの軌道１２が形成され、左右側部には、互いに対応した複数の掛止部１３と複数の被掛止部１４とが形成され、各接続盤１１の内・外側部には、スライドガイド縁部１１２が延設されている。連動回転盤２０の連結片２１（図１及び図２を参照する）には、上曲面２１１及び下曲面２１２が一体成形されている。曲面２１１，２１２の端面には、歯列状の連結片２１が形成され、併合部２１１１，２１２１が接続される上、曲面２１１，２１２の２つの外端縁上には、併合部２１１１，２１２１が設けられ、連結片２１の内・外側部にスライドガイドブロック２１３がそれぞれ延設され、隣接した外側適宜な箇所には、左右に対をなすように接耳状の連結部２２と掛耳状の被連結部２３とが設けられて各連結片２１が掛合される。連結片２１の底面には、少なくとも１つの車輪２４と接続盤１１の軌道１２とが対応して設けられている。
【０００６】
実際に組み立てて使用する場合、ベース１０の寸法に応じ、各組の接続盤１１を適量数準備し、掛止部１３及び被掛止部１４を介して、矩形盤面の盤体を左右両方向で直接交換して係合させ、ベース１０の２つの平行縁部を形成してもよい（ベース規格に応じて寸法を変化させ、長距離又は短距離延ばして組立ててもよい）。扇形盤面を呈する接続盤１１の盤体は、掛止部１３及び被掛止部１４の左右をベース１０の両側端面の回転角と、２つの平行縁部を接続して環円状を呈するベースとを交換し（図５及び図６に示すように、その組み合わせ形状は、円形、楕円形、方形などでもよい）、各接続盤１１を隣接させ、側部を密着させて水平状に形成する。続いて、複数の連結片２１をベース１０上へ配列し、各連結片２１の左右に互いに対をなす連結部２２と被連結部２３とが係合されて環円状を呈する連動回転盤２０をベース１０上に配設し、各連結片２１の底面の車輪２４が、ベース１０に接続された軌道１２上に対応するように配設されているため、各連結片２１のスライドレールをベース上に配設して各連結片２１をスムーズかつ安定的に摺動させることが可能で、連動回転盤２０の何れか１つの連結片２１を自在に押し動かして回転させるとともに、各連結片２１に隣接した曲面２１１，２１２の対応した側部の歯列状併合部２１１１，２１２１が連動回転盤２０の円形回転により互いに接触され、各連結片２１が互いに隣接されて安定され、回転する際に揺れることがなく、連結片２１が変形してずれて凹凸が生じることを防ぐことができる上、連結片２１を利用して接続盤１１に応じて組み合わされたベース１０に、楕円形（図４参照）、円形（図５参照）、方形（図６参照）などを呈する連動回転盤２０を組み合わせ、ユーザは各卓面の形態に応じてベース１０及び連動回転盤２０を自在に組み合わせることができ、自在に組み合わせて各組の接続盤１１及び各組の連結片２１を組立てて無限に延ばす回転ダイニング盤を形成し、従来の回転ダイニング盤は、その規格が特定の卓面にしか適用することができないため使用範囲が狭かった欠点を改善し、ダイニングテーブルの回転ダイニング盤は、様々な寸法を有して無限に延ばす環状ダイニング盤を組立て、柔軟かつ容易に使用することができる。
【０００７】
上述の連結片２１（図７〜図９を参照）の併合部２１１１ａ，２１２１ａは、曲面２１１，２１２の２つの内・外端縁に設けられ、複数の連結片２１がベース１０上にそれぞれ配列され、連動回転盤２０が回転すると、各連結片２１が隣接されているため回転が安定してぶれることを防ぐことができる。
【０００８】
上述の連結片２１（図１０及び図１１を参照）の併合部２１１１ｂ，２１２１ｂは、平面状に形成される。図１２〜図１４に示すように、ベース１０は伝動セット３０と組み合わされる。伝動セット３０は、下向きのコ字状を呈する接続板３１と２つの両歯車杆３２とから構成される。接続板３１の板面には、収容孔３１１が形成され、２つの長側部には垂直下向きに側板３１２が延設されている。接続板３１の周囲には、弾性脚板３１３が延設されている。弾性脚板３１３の末端には、位置決め引っ掛け部３１３１が突設され、その側部に弧形状押圧ブロック３１３２が突設されている。２つの両歯車杆３２には、短めの内杆体３２１と、長めの外杆体３２２とが設けられている。杆体３２１，３２２の互いに対をなす一端には、大き目の径を有する歯車３２１１，３２２１が設けられ、他方の一端には、十字形状の組立部３２１２及び組立孔３２２２がそれぞれ形成され、接続板３１及びベース１０の底面には、両歯車杆３２が係合される複数のＣ字形状の係合溝３１４及び形孔１１１が複数形成されている。ベース１０の環状中央部１０１の両側と接続板３１の弾性脚板３１３とが対応する箇所には、スライドガイド縁部１１２が形成され、スライドガイド縁部１１２には、弾性脚板３１３の位置決め引っ掛け部３１３１が係合され、接続板３１の２つの短側部には、ベース１０の環状中央部１０１の２つの内側に形成された位置決め孔１１３に対応して位置決めブロック３１５が突設されている。連動回転盤２０の各連結片２１底面には、両歯車杆３２の外杆体３２２の歯車３２２１に対応した連動歯軌道２５が形成されている。実際に組み立てる場合（図１５参照）、ベース１０と連動回転盤２０とが接合されて形成された環状長さに応じ、ベース１０の環状中央部１０１に少なくとも１組の伝動セット３０が配設され、ベース１０の環状中央部１０１のスライドガイド縁部１１２中に接続板３１の各弾性脚板３１３がそれぞれ係合され、接続板３１の２つの短側部の位置決めブロック３１５と、ベース１０に形成した位置決め孔１１３とを噛合させると、ベース１０の環状中央部１０１に接続板３１が連結されて位置決めされた後、２つの両歯車杆３２が内杆体３２１及び外杆体３２２の端部に設けた十字形状組立部３２１２と十字形状組立孔３２２２とが組み合わされ、２つの両歯車杆３２の杆体３２１，３２２をそれぞれ接続板３１及びベース１０の各係合溝３１４及び形孔１１１中に対応して係合させ、２つの両歯車杆３２の２つの内杆体３２１の歯車３２１１を噛合させて接続板３１の収容孔３１１中に収容し、２つの両歯車杆３２の２つの外杆体３２２の歯車３２２１をベース１０に形成した形孔１１１上からそれぞれ突出させ、連動回転盤２０の各連結片２１の底面に設けられた連動歯軌道２５を２つの両歯車杆３２の２つの外杆体３２２の歯車３２２１に対応させて噛合状態を形成して伝動セット３０の組立てを完成させる。この構成により連動回転盤２０は、各連結片２１を押し動かして回転させる際（図１６参照）、各連結片２１の底面に設けられた連動歯軌道２５を、２つの両歯車杆３２の２つの外杆体３２２の歯車３２２１に噛合させ、２つの内杆体３２１の歯車３２１１を噛合させ、両方向で駆動させて連動させると、伝動セット３０が各連結片２１を連動させて各連結片２１を一方向で円周伝動させて連動回転盤２０を順方向・反対方向へスムーズに押し動かし、折り曲がり角が押される際に各連結片２１がスムーズに押圧されなくなることを防ぎ、連動回転盤２０の移動速度を高め、回転がスムーズになって簡単に力を加えることができる。
【０００９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１０】
１０  ベース
１１  接続盤
１２  軌道
１３  掛止部
１４  被掛止部
２０  連動回転盤
２１  連結片
２２  連結部
２３  被連結部
２４  車輪
２５  連動歯軌道
３０  伝動セット
３１  接続板
３２  両歯車杆
１０１  環状中央部
１１１  形孔
１１２  スライドガイド縁部
１１３  位置決め孔
２１１  上曲面
２１２  下曲面
２１３  スライドガイドブロック
３１１  収容孔
３１２  側板
３１３  弾性脚板
３１４  係合溝
３１５  位置決めブロック
３２１  内杆体
３２２  外杆体
２１１１    併合部
２１１１ａ  併合部
２１１１ｂ  併合部
２１２１    併合部
２１２１ａ  併合部
２１２１ｂ  併合部
３１３１    位置決め引っ掛け部
３１３２    弧形状押圧ブロック
３２１１    歯車
３２１２    組立部
３２２１    歯車
３２２２    組立孔
【図１】
0003193051.tif 000003
【図２】
0003193051.tif 000004
【図３】
0003193051.tif 000005
【図４】
0003193051.tif 000006
【図５】
0003193051.tif 000007
【図６】
0003193051.tif 000008
【図７】
0003193051.tif 000009
【図８】
0003193051.tif 000010
【図９】
0003193051.tif 000011
【図１０】
0003193051.tif 000012
【図１１】
0003193051.tif 000013
【図１２】
0003193051.tif 000014
【図１３】
0003193051.tif 000015
【図１４】
0003193051.tif 000016
【図１５】
0003193051.tif 000017
【図１６】
0003193051.tif 000018